(57)【要約】【課題】利便性が良好なファイルを提供する。【解決手段】表紙体２と、この表紙体２に取り付けられたポケット体３とを具備する。表紙体２は、表表紙部５と背表紙部６と裏表紙部７とを有する。表表紙部５と裏表紙部７とは、対向するように、背表紙部６を中心にしてヒンジ部１１を介して互いに回動可能である。ポケット体３は、表表紙部５から裏表紙部７に亘って配置され被収容物４を収容可能な収容部１５を有する。また、この収容部１５より平面視で外側には、表紙体２に対して固定される固定部１６が設けられている。そして、ポケット体３は、被収容物４を収容した状態で表紙体２とともに屈曲可能である。【選択図】図１
2018176606.tif 000002
【特許請求の範囲】
【請求項１】
表紙体と、この表紙体に取り付けられたポケット体とを具備するファイルであって、
前記表紙体は、第１の表紙部と、第２の表紙部とを有し、これら第１の表紙部と第２の表紙部とは対向するように互いに回動可能であり、
前記ポケット体は、前記第１の表紙部から前記第２の表紙部に亘って配置され被収容物を収容可能な収容部と、この収容部に前記被収容物を出し入れするための開口部と、前記収容部より平面視で外側に位置し前記表紙体に対して固定された固定部とを有する
ことを特徴とするファイル。
【請求項２】
前記収容部は、略矩形状であり、
前記固定部は、前記収容部の少なくとも１辺に設けられて前記第１の表紙部および前記第２の表紙部の少なくともいずれか一方の表紙部に固定されている
ことを特徴とする請求項１記載のファイル。
【請求項３】
前記収容部は、略矩形状であり、
前記固定部は、前記収容部の少なくとも１辺に設けられて前記第１の表紙部および前記第２の表紙部のいずれか一方の表紙部に固定されており、
他方の表紙部は、前記ポケット体の少なくとも一部を覆う被覆部を有し、
前記被覆部は、前記他方の表紙部から起立するように設けられた第１の壁部と、この第１の壁部から交差方向に延出する第２の壁部とを有する
ことを特徴とする請求項１または２記載のファイル。
【請求項４】
前記被覆部は、前記他方の表紙部の隣接する表紙部と接する端部と直交する両端部に設けられている
ことを特徴とする請求項３記載のファイル。
【請求項５】
前記表紙体は、前記第１の表紙部と前記第２の表紙部との間に、ヒンジ部を介して連接された背表紙部を有する
ことを特徴とする請求項１ないし４いずれか一記載のファイル。
【発明の詳細な説明】
【技術分野】
【０００１】
本発明は、書類等の被収容物を収容するためのポケット体が表紙体に取り付けられたファイルに関する。
【背景技術】
【０００２】
従来、この種のファイルとしては、例えば、特許文献１や特許文献２に記載されているように、合成樹脂製の薄肉状のシートにより形成されたポケットが合成樹脂製の表紙体に対して熱溶着や超音波溶着により接合された構成が知られている。
【０００３】
このようなファイルのポケットは、四角形のうちの一の側端部が表紙体に接合されずに開口部を構成し、他の側端が接合された袋状に構成される。
【先行技術文献】
【特許文献】
【０００４】
【特許文献１】特開平５−１７７９７０号公報
【特許文献２】特開２００４−２１６５９５号公報
【発明の概要】
【発明が解決しようとする課題】
【０００５】
特許文献１および特許文献２に記載の発明は、一の袋体の左右方向略中央が上下方向の略全長に亘って表紙体に溶着されることにより、その溶着箇所を介して隣接する２つのポケット部が形成されている。
【０００６】
また、一のポケット部の幅（溶着箇所とこれと対向する位置にある側端との距離）は、想定される被収容物の幅よりやや大きくなるように形成されており、さらに表紙体を折り曲げた状態、すなわちファイルを閉じた状態の表紙体の幅は一のポケット部の幅よりやや大きくなるように形成されている。
【０００７】
ここで、ファイルの使用目的の１つとしては、表紙体によって外力から被収容物を保護することがある。この保護性を考慮すると、特許文献１および特許文献２の構成において、表紙体の幅は一のポケット部の幅や被収容物の幅よりも大きいことが好ましいが、このような構成であると、このようなファイルは、閉じた状態でも被収容物よりも大きな面積を有することになる。
【０００８】
そして、例えば、利用者がファイルを鞄等に収納して持ち歩く場合等には、その鞄は、ファイルを収容し得る大きさである必要があり、つまり、このようなファイルはその大きさに起因して利便性の高いものではなかった。
【０００９】
また、当然ながら、特許文献１および特許文献２の構成において、ポケット部に被収容物を収容したファイルを開口部が下向きとなるように持ってしまうと、ポケット部の開口部から被収容物が落ちてしまうため、利用者はファイルを持つ場合のファイルの向きに関して注意を払う必要があった。
【００１０】
したがって、大きさや使用状態の観点からも、利便性が良好なファイルが求められていた。
【００１１】
本発明はこのような点に鑑みなされたもので、利便性が良好なファイルを提供することを目的とする。
【課題を解決するための手段】
【００１２】
本発明は、表紙体と、この表紙体に取り付けられたポケット体とを具備するファイルであって、前記表紙体は、第１の表紙部と、第２の表紙部とを有し、これら第１の表紙部と第２の表紙部とは対向するように互いに回動可能であり、前記ポケット体は、前記第１の表紙部から前記第２の表紙部に亘って配置され被収容物を収容可能な収容部と、この収容部に前記被収容物を出し入れするための開口部と、前記収容部より平面視で外側に位置し前記表紙体に対して固定された固定部とを有するものである。
【００１３】
収容部は、略矩形状であり、固定部は、前記収容部の少なくとも１辺に設けられて第１の表紙部および第２の表紙部の少なくともいずれか一方の表紙部に固定されている。
【００１４】
収容部は、略矩形状であり、固定部は、収容部の少なくとも１辺に設けられて第１の表紙部および第２の表紙部のいずれか一方の表紙部に固定されており、他方の表紙部は、ポケット体の少なくとも一部を覆う被覆部を有し、前記被覆部は、他方の表紙部から起立するように設けられた第１の壁部と、この第１の壁部から交差方向に延出する第２の壁部とを有する。
【００１５】
被覆部は、他方の表紙部の隣接する表紙部と接する端部と直交する両端部に設けられている。
【００１６】
表紙体は、第１の表紙部と第２の表紙部との間に、ヒンジ部を介して連接された背表紙部を有する。
【００１７】
表紙体は、第１の表紙部と第２の表紙部との間に位置する背表紙部を有し、背表紙部は、ヒンジ部を有し、前記第１の表紙部と前記第２の表紙部とは前記背表紙部を中心に前記ヒンジ部を介して互いに回動可能である。
【００１８】
第１の表紙部および第２の表紙部は、表紙体の幅方向において、前記第１の表紙部の一方側の端部および前記第２の表紙部の他方側の端部を基点にして、前記第１の表紙部の他方側の端部と前記第２の表紙部の一方側の端部とが接離するように互いに回動可能である。
【発明の効果】
【００１９】
本発明によれば、第１の表紙部から第２の表紙部に亘ってポケット体の収容部が配置されているため、被収容物がポケット体に収容された状態にて、第１の表紙部と第２の表紙部とが対向するように表紙体を屈曲でき、利便性を向上できる。
【００２０】
すなわち、第１の表紙部と第２の表紙部とが対向するように表紙体を屈曲することで、ポケット体が屈曲して第１の表紙部と第２の表紙部との間に収められるため、被収容物を小さくすることができ、被収納物の面積よりも小さい面積を有するファイルを提供することができる。
【００２１】
さらに、被収容物がポケット体の屈曲に合わせて屈曲した状態でポケット体に収容されるため、その状態において両者の屈曲した箇所またはその近傍において互いに接する状態が維持されることから、両者の間の摩擦力が強くなり、被収容物が開口部から離脱しづらくなり、確実に被収容物をファイルに収めることができる。
【図面の簡単な説明】
【００２２】
【図１】本発明の第１の実施の形態に係るファイルの構成を示す正面図である。
【図２】同上ファイルの閉じた状態を示す斜視図である。
【図３】本発明の第２の実施の形態に係るファイルの構成を示す正面図である。
【図４】本発明の第１の実施の形態に係るファイルの閉じた状態おける各ポケット体の下端部を示す模式図である。
【図５】本発明の第３の実施の形態に係るファイルの構成を示す正面図である。
【図６】同上ファイルの平面図である。
【図７】同上ファイルの左側面図である。
【図８】本発明の第４の実施の形態に係るファイルの構成を示す正面図である。
【発明を実施するための形態】
【００２３】
以下、本発明の第１の実施の形態の構成について図面を参照しながら詳細に説明する。なお、以下の説明では、図１における上下方向を「ファイルの上下方向」とし、同様に図１における左右方向を「ファイルの左右方向」とし、左右方向の長さを「幅」とする。
【００２４】
図１において、１はファイルであり、このファイル１は、表紙体２の一方面である内側面に、ポケット体３が熱溶着や超音波溶着等の方法によって溶着されて取り付けられている。そして、ポケット体３に、例えば書類等の被収容物４を収容可能である。
【００２５】
表紙体２は、第１の表紙部としての表表紙部５と、背表紙部６と、第２の表紙部としての裏表紙部７とが左右方向に順次配置されている。なお、これら表表紙部５、背表紙部６および裏表紙部７はいずれも合成樹脂や紙等にて形成されており、例えば、表表紙部５、背表紙部６および裏表紙部７のいずれも同じ材料で形成された構成や、表表紙部５、背表紙部６および裏表紙部７のいずれも異なる材料で形成された構成や、表表紙部５および裏表紙部７と、背表紙部６とが異なる材料で形成された構成等のように、それぞれの材料は適宜選択できる。
【００２６】
表表紙部５および裏表紙部７は、略矩形状であり、表表紙部５の左右方向の一方側の端部（右端部）、および、裏表紙部７の左右方向の他方側の端部（左端部）の上下方向の全長に亘って背表紙部６が接合されている。
【００２７】
背表紙部６は、左右方向に所定幅で離間し上下方向に沿って配置された２つのヒンジ部１１を有し、これらヒンジ部１１の左右方向の外側には接続部１２が設けられている。
【００２８】
そして、接続部１２が表表紙部５および裏表紙部７に溶着して接続されることにより、表表紙部５および裏表紙部７は、背表紙部６を中心にヒンジ部１１を介して、表表紙部５の左右方向の一方側の端部（左端部）と裏表紙部７の左右方向の他方側の端部（右端部）とが接離するように互いに回動可能である。すなわち、表紙体２は、表表紙部５および裏表紙部７の少なくとも一方を回動させることにより、左右方向に開閉でき、図１に示すように、表表紙部５と背表紙部６と裏表紙部７とが略同一平面上に配置された状態（開いた状態）と、図２に示すように、表表紙部５の左端部と裏表紙部７の右端部とを接近させて表表紙部５と裏表紙部７とを互いに対向させて、これら表表紙部５および裏表紙部７を背表紙部６に対し屈曲させた状態（閉じた状態）とにできる。なお、開いた状態とは、表表紙部５と背表紙部６と裏表紙部７とが略同一平面上に配置された状態に限定されず、閉じた状態に対して表表紙部５の左端部と裏表紙部７の右端部とが離間した状態であればよい。
【００２９】
また、裏表紙部７には、表紙体２を閉じた状態を維持するための維持部材である紐状のゴム１３が設けられている。
【００３０】
さらに、表表紙部５の下端部および裏表紙部７の上下方向の両端部には、ゴム１３が係合可能な凹部１４が設けられている。
【００３１】
そして、表紙体２を閉じた状態で、ゴム１３を伸張させながら裏表紙部７から表表紙部５にそのゴム１３を架け渡して各凹部１４に係合させることで、ゴム１３が表表紙部５および裏表紙部７の他方面である外側面上に配置された状態が保持され、そのゴム１３の収縮力によって表紙体２が閉じた状態が維持される。
【００３２】
ポケット体３は、例えば合成樹脂等にて矩形シート状に形成されており、複数のポケット体３が厚さ方向に積層された状態で、背表紙部６を跨ぐように表表紙部５から裏表紙部７に亘って配置されている。
【００３３】
このようなポケット体３は、被収容物４を収容可能な袋状の収容部１５と、この収容部１５の上下方向の外側である上側に設けられた左右方向に長尺状の固定部１６とを有している。
【００３４】
収容部１５は、右端部の上下方向の全長に亘って開口部１７が設けられ、上下方向の両端部および左端部が閉塞された袋状である。すなわち、開口部１７は、収容部１５において、裏表紙部７の右端部に対応する端部に平行に設けられ、被収容物４は、収容部１５に対して左右方向に出し入れ可能である。
【００３５】
固定部１６は、ポケット体３の上端部であって収容部１５の上側に左右方向の全長に亘って設けられている。
【００３６】
ポケット体３の構成について具体的に説明すると、ポケット体３は、例えば１枚の合成樹脂製の矩形状シートが半分に折り曲げられた状態にて、上下方向において折曲箇所（下端部）とは反対側である上端部同士を溶着し、左端部同士を溶着することにより、右端部に開口部１７が配置され、それ以外の端部が閉塞された平面視で矩形の袋状の収容部１５が構成されるとともに、この収容部１５の一辺である上端部の上側に左右方向の全長に亘って、重合する２枚のシートが左右方向に長尺状を形成するようにそれらを溶着することによりシート状の固定部１６が構成される。
【００３７】
そして、例えば複数のポケット体３が積層された状態にて、固定部１６を間欠的に左右方向に並ぶように溶着することで、溶着部１８が表表紙部５および裏表紙部７に溶着されて、各ポケット体３が表紙体２に取り付けられる。
【００３８】
なお、ポケット体３は、収容部１５が複数の端部が閉塞された袋状に形成されていれば、開口部１７が右端部に設けられた構成に限定されず、開口部１７が、固定部１６に近接する収容部１５の上端部や左端部や下端部に設けられた構成にしてもよい。
【００３９】
次に、上記第１の実施の形態の作用および効果を説明する。
【００４０】
図１は、表紙体２を開いたファイル１の収容部１５に被収容物４を収容した状態を示すものである。
【００４１】
ファイル１に被収容物４を収容して持ち運ぶ際には、まず、表表紙部５と背表紙部６と裏表紙部７とを略同一平面状に配置して表紙体２を開いた状態とし、この状態において、開口部１７から収容部１５内へ被収容物４を挿入すると、被収容物４が収容部１５に収容される。
【００４２】
その後、表紙体２が開いた状態から、表紙体２を表表紙部５の左端部と裏表紙部７の右端部とを接近させるように、背表紙部６を中心にヒンジ部１１を介して互いに回動させて、図２に示すように、被収容物４を収容部１５に収容したポケット体３を屈曲させるとともに、表表紙部５と裏表紙部７とを対向させて表紙体２を閉じた状態にする。
【００４３】
さらに、裏表紙部７から表表紙部５に亘ってゴム１３を架け渡すことで、ゴム１３の収縮力で表紙体２が閉じた状態を維持し、そのファイル１を例えば鞄等に収納して持ち運ぶ。
【００４４】
そして、上記ファイル１によれば、表表紙部５から裏表紙部７に亘ってポケット体３の収容部１５が配置されているため、被収容物４が収容された状態のポケット体３を、表紙体２とともに屈曲できる。そのため、被収容物４とそれを収容したポケット体３とが屈曲した状態で表表紙部５と裏表紙部７との間に収められ、平面視にて、被収容物４の通常状態の面積よりもファイル１自体をコンパクトにでき、大きさの観点に基づく利便性を向上できる。
【００４５】
また、上述のように表紙体２とともにポケット体３を屈曲することにより、ポケット体３内の被収容物４には、通常の収容状態での収容部１５との摩擦力よりも大きな摩擦力が作用するため、例えばファイル１の利用者が、閉じた状態のファイル１を、ポケット体３の開口部１７が下側に位置するように保持しても、収容部１５から被収容物４が抜け落ちにくい。すなわち、使用状態における開口部１７の位置や向きを考慮しなくても、開口部１７から被収容物４が不意に抜け落ちにくいため、使用状態の観点に基づく利便性を向上できる。
【００４６】
特に、表紙体２が左右方向に開閉可能で、かつ、ポケット体３における開口部１７が収容部１５の左右方向の端部に設けられた構成とすることにより、開口部１７を下方に向ける等して開口部１７から抜け落ちようとする力が被収容物４に作用しても、その力の方向とは略垂直にポケット体３および被収容物４が屈曲されるため、摩擦力がより大きくなり、被収容物４の不意な抜け落ちをより確実に防止できる。
【００４７】
また、表表紙部５と裏表紙部７との間に所定幅の背表紙部６が設けられ、背表紙部６のヒンジ部１１を介して、表表紙部５と裏表紙部７とが互いに回動可能である構成にすることにより、ファイル１を閉じた状態にて、背表紙部６の幅に応じて表紙体２の内側に空間を確保できるため、表紙体２の屈曲により、表紙体２内のポケット体３に収容された被収容物４に折り目等が生じにくい。
【００４８】
なお、上記第１の実施の形態では、表表紙部５と裏表紙部７との間にヒンジ部１１を有する背表紙部６が設けられた構成としたが、このような構成には限定されず、例えば、背表紙部６が設けられておらず表表紙部５と裏表紙部７とが直接回動可能に接続された構成や、リング等で表表紙部５と裏表紙部７とが接続された構成等にしてもよい。
【００４９】
表紙体２およびポケット体３は、それぞれ矩形状である構成には限定されず、その形状は適宜設計可能である。
【００５０】
表紙体２とポケット体３とは、溶着によって固定された構成には限定されず、表紙体２に対するポケット体３の固定方法は、縫製や溶着等の方法が適宜適用できる。
【００５１】
また、表紙体２は、表紙体２に維持部材としてのゴム１３が設けられるとともに表表紙部５および裏表紙部７に維持部材を係合可能な凹部１４が設けられた構成としたが、このような構成には限定されず、ゴム１３が設けられ凹部１４が設けられていない構成にしてもよいし、さらに、ゴム１３も凹部１４も設けられていない、すなわち維持部材が設けられていない構成にしてもよい。
【００５２】
また、維持部材が設けられた構成では、維持部材としてゴム１３が設けられた構成には限定されず、維持部材は、表紙体２を閉じた状態を維持できるものであればよい。
【００５３】
ポケット体３は、１枚の合成樹脂製シートで形成された構成には限定されず、被収容物４を収容可能な収容部１５と、表紙体２に固定される固定部１６とを有する構成であれば、それらの配置や成形方法等は適宜変更できる。
【００５４】
開口部１７は、収容部１５の右端部においてこの右端部と略平行に設けられた構成には限定されず、収容部１５に被収容物４を出し入れ可能な構成であればよい。すなわち、例えば、収容部１５の上下方向の端部のいずれかにおいて、収容部１５の左右方向の端部と略垂直に開口部１７が設けられた構成にしてもよい。
【００５５】
固定部１６は、収容部１５の上側に配置された構成には限定されず、収容部１５の外側（上下方向の外側または左右方向の外側）に配置されていればよい。
【００５６】
また、固定部１６は、表表紙部５および裏表紙部７の両方に固定された構成には限定されず、表表紙部５および裏表紙部７の少なくとも一方に固定されていればよく、例えば以下の第２の実施の形態のように、裏表紙部７のみに固定された構成にしてもよい。
【００５７】
第２の実施の形態を図３および図４を参照して説明する。なお、上記第１の実施の形態と同一の構成及び作用については、同一符号を付してその説明を省略する。
【００５８】
この第２の実施の形態は、図３に示すように、上記第１の実施の形態のファイルに対して、ポケット体３の固定部１６が、表表紙部５には固定されず、裏表紙部７のみに固定されている。すなわち、ポケット体３は、固定部１６の裏表紙部７側のみに溶着部１８を有している。
【００５９】
ここで、例えば上記第１の実施の形態のように、積層された複数のポケット体３がそれぞれ表表紙部５と裏表紙部７とに固定されていると、表紙体２を折り曲げてポケット体３を屈曲させた場合に、表紙体２に最も近い層である最下層のポケット体３と、表紙体２に最も遠い層である最上層のポケット体３とは、屈曲した形態に違いが生じる。すなわち、最下層のポケット体３は屈曲後においては最外周に位置し、最上層のポケット体３は最外周に位置する場合よりもその距離が短い最内周に位置することになり、つまり、それぞれのポケット体３の固定部１６の長さが伸縮しないのであれば、表紙体２に隣接する一のポケット体３と当該ポケット体３に隣接する他のポケット体３とは、屈曲前と屈曲後とで、固定部１６およびその近傍における位置関係が変化しなくてはならないのに、一のポケット体３が隣接する他のポケット体３に対して移動することができないように固定されていると、このような位置関係の変化が規制される。そのため、図４に示すように、ファイル１を閉じた状態において、各ポケット体３における固定部１６とは反対側の下端部の位置が乱れて、その乱れによって、表紙体２が閉じた状態を維持しにくくなる可能性があるとともに、表紙体２からポケット体３の一部がはみ出してしまう可能性がある。
【００６０】
そこで、この第２の実施の形態のように、固定部１６の裏表紙部７側のみに溶着部１８を有し、固定部１６が裏表紙部７のみに固定された構成にすることで、ファイルの開閉に伴う表紙体２に対する各ポケット体３の位置関係の変化を表表紙部５側で許容することができる。そのため、ファイルを閉じた状態においても、各ポケット体３の下端部の位置が乱れにくく、表紙体２およびポケット体３を屈曲させてファイル１を閉じた状態を維持しやすい。
【００６１】
例えば、ポケット体３が裏表紙部７に接合されて表表紙部５に接合されていない構成であれば、ファイル１を閉じる動作において、積層された各ポケット体３が、裏表紙部７との間でその位置関係を維持しながら、表表紙部５に対してそのポケット体３の積層位置に応じて摺動するように変位するため、それぞれの位置関係が調整されて、ポケット体３同士の下端部の位置を乱れにくくできる。
【００６２】
しかし、このような構成とする場合、利用者がファイル１を開いた状態でこれを使用するに際し、各ポケット体３は表表紙部５に対して載置されるのみとなるので、各ポケット体３の表表紙部５側で利用者の手指が各ポケット体３をその意図によらず捲り上げてしまって、各ポケット体３とそれに収容された被収容物４とを折り曲げてしまうことが懸念される。
【００６３】
そこで、例えば以下の第３の実施の形態のように、ポケット体３の表表紙部５側の動きを規制することで捲れ上がることを防止してもよい。
【００６４】
第３の実施の形態を図５ないし図７を参照して説明する。なお、上記各実施の形態と同一の構成及び作用については、同一符号を付してその説明を省略する。
【００６５】
この第３の実施形態は、図５、図６および図７に示すように、ポケット体３において表表紙部５に載置される箇所であってファイル１を閉じると裏表紙部７の溶着部１８に対向することになる箇所を覆う被覆部２１を有している。
【００６６】
被覆部２１は、表表紙部５の一方面である内側面の上端部またはその近傍から、ファイル１を閉じた場合に内側となる方向に略垂直に起立するように立設された第１の壁部２２と、第１の壁部２２の表表紙部５に接する端部（基端部）と対向する位置にある端部（先端部）からこの第１の壁部２２に対し略垂直（表表紙部５に対して略平行）に延出するように設けられた第２の壁部２３とを有している。さらに、被覆部２１は、必要に応じて、第１の壁部２２の左端部と第２の壁部２３の左端部とから表表紙部５に向けて延出する面を形成するように設けられた第３の壁部２４を有する構成にしてもよい。
【００６７】
このような構成とすることで、表紙体２の屈曲に伴うポケット体３の変位を規制することなく、各ポケット体３が表表紙部５に対して捲れ上がることを防止することができる。
【００６８】
この場合、第１の壁部２２は、表表紙部５の上端部の左右方向全長に亘って設けられていてもよいし、全長に亘らない程度の長さで構成されていてもよく、第２の壁部２３は、表表紙部５の上端部からの下端部に向けて、表表紙部５の上下方向全長に亘って設けられてもよいし、ポケット体３において表表紙部５に載置される位置であってファイル１を閉じると裏表紙部７の溶着部１８に対向することになる位置の近傍のみを覆う程度の面積を有するように構成されていてもよい。このような構成により、被覆部２１の大きさが決められることになるが、その大きさは、大きければ大きいほど、ポケット体３が捲れ上がることを防止するが、その一方でポケット体３や被収容物４における当該箇所を視認しづらくなることから、ファイル１のサイズ、すなわちポケット体３や被収容物４のサイズに応じて適切なものが選択されればよい。
【００６９】
さらに、被覆部２１は、高い強度を要さないのであれば第１の壁部２２および第２の壁部２３のみで構成されてもよく、高い強度を要するのであれば、それらに加えて被覆部２１を補強するための第３の壁部２４を有する構成としてもよい。
【００７０】
また、被覆部２１が設けられた構成の場合には、図８に示す第４の実施の形態のように、被覆部２１が、表表紙部５の上下方向の両端部、すなわち、表紙部５における背表紙部６と接する端部（右端部）の上端部と直交する両端部（上端部および下端部）に設けられた構成にしてもよい。
【００７１】
このような構成とすれば、各ポケット体３が、上端部の被覆部２１と下端部の被覆部２１とに囲まれることにより、表表紙部５に対して捲れ上がることを防止するとともに上下方向の移動を規制することができる。
【符号の説明】
【００７２】
１    ファイル
２    表紙体
３    ポケット体
４    被収容物
５    第１の表紙部としての表表紙部
６    背表紙部
７    第２の表紙部としての裏表紙部
１１  ヒンジ部
１５  収容部
１６  固定部
１７  開口部
２１  被覆部
２２  第１の壁部
２３  第２の壁部
【図１】
2018176606.tif 000003
【図２】
2018176606.tif 000004
【図３】
2018176606.tif 000005
【図４】
2018176606.tif 000006
【図５】
2018176606.tif 000007
【図６】
2018176606.tif 000008
【図７】
2018176606.tif 000009
【図８】
2018176606.tif 000010